(57)【要約】【課題】漏水のおそれのない長尺屋根板を提供することである。【解決手段】一方の縁部に上ハゼ部分（２０）が設けられ、他方の縁部に下ハゼ部分（２８）が設けられている長尺屋根板（１０）であって、下ハゼ部分が、長尺屋根板の縁部が折り立てられた部分（２２）と、折り立てられた部分の先端が横向き内方に折り曲げられて形成された吊子上端載置部（２４）と、吊子上端載置部の先端が所定高さＨだけ上方に延び、更に横向き内方に延びて形成された取付部（２６）とを有しており、所定高さＨが、吊子上端載置部に吊子の上端を載せたとき、吊子の上端の上面と前記取付部の上面とがほぼ面一になるように選定されていることを特徴とする。【選択図】  図１
2004197421.tif 000002
【特許請求の範囲】
【請求項１】
一方の縁部に上ハゼ部分が設けられ、他方の縁部に下ハゼ部分が設けられている長尺屋根板であって、
前記下ハゼ部分が、前記長尺屋根板の前記他方の縁部が折り立てられた部分と、前記折り立てられた部分の先端が横向き内方に折り曲げられて形成された吊子上端載置部と、前記吊子上端載置部の先端が所定高さだけ上方に延び、更に横向き内方に延びて形成された取付部とを有しており、
前記所定高さが、前記吊子上端載置部に吊子の上端を載せたとき、吊子の上端の上面と前記取付部の上面とがほぼ面一になるように選定されていることを特徴とする長尺屋根板。
【請求項２】
請求項１に記載した長尺屋根板を使用した屋根葺き方法であって、
前記吊子の上端を前記下ハゼ部分の前記吊子上端載置部に載せ、前記吊子の上端及び前記下ハゼ部分の前記取付部に防水テープを貼った後、隣接する長尺屋根板の上ハゼ部分を前記下ハゼ部分に被せて締め付けることを特徴とする屋根葺き方法。
【発明の詳細な説明】
【０００１】
【発明の属する技術分野】
本発明は一般に、長尺屋根板及び該長尺屋根板を使用した屋根葺き方法に関する。より詳細には、本発明は、漏水のおそれのない長尺屋根板及び該長尺屋根板を使用した屋根葺き方法に関する。
【０００２】
【従来の技術】
図５（ａ）は、従来の典型的な長尺屋根板の一例を示した図である。図５（ａ）に示される長尺屋根板５０は、一方の縁部に上ハゼ部分５２が設けられ、他方の縁部に下ハゼ部分５４が設けられている。長尺屋根板５０は、屋根の垂木に釘５６で固定した吊子５８の上端水平部５８ａを長尺屋根板５０の下ハゼ部分５４の取付部５４ａに載せ、上端水平部５８ａ及び取付部５４ａに防水テープ６０を貼った後、隣接する長尺屋根板５０の上ハゼ部分５２を下ハゼ部分５４に被せ、上ハゼ部分５２をハゼ締機等を使用して締め付けることによって施工される。
【０００３】
【発明が解決しようとする課題】
しかしながら、上述のような従来の長尺屋根板では、図５（ｂ）に示されるように、吊子５８の上端水平部５８ａと下ハゼ部分５４の取付部５４ａとの間に段差が生ずるため、図５（ｃ）に示されるように、ハゼ部分の締め付け時に、吊子５８の上端水平部５８ａと下ハゼ部分５４の取付部５４ａに貼られた防水テープ６０が破れて漏水のおそれが発生したり、寒冷地における屋根葺き工事では防水テープの密着度が良くない等の不都合が生ずる。
【０００４】
したがって、本発明は、漏水のおそれのない長尺屋根板及び該長尺屋根板を使用した屋根葺き方法を提供することを目的としている。
【０００５】
【課題を解決するための手段】
本願請求項１に記載の、一方の縁部に上ハゼ部分が設けられ、他方の縁部に下ハゼ部分が設けられている長尺屋根板は、前記下ハゼ部分が、前記長尺屋根板の前記他方の縁部が折り立てられた部分と、前記折り立てられた部分の先端が横向き内方に折り曲げられて形成された吊子上端載置部と、前記吊子上端載置部の先端が所定高さだけ上方に延び、更に横向き内方に延びて形成された取付部とを有しており、前記所定高さが、前記吊子上端載置部に吊子の上端を載せたとき、吊子の上端の上面と前記取付部の上面とがほぼ面一になるように選定されていることを特徴とするものである。
【０００６】
本願請求項２に記載の屋根葺き方法は、前記吊子の上端を前記下ハゼ部分の前記吊子上端載置部に載せ、前記吊子の上端及び前記下ハゼ部分の前記取付部に防水テープを貼った後、隣接する長尺屋根板の上ハゼ部分を前記下ハゼ部分に被せて締め付けることを特徴とするものである。
【０００７】
【発明の実施の形態】
次に図面を参照して、本発明の好ましい実施の形態に係る長尺屋根板について説明する。図１は、本発明の好ましい実施の形態に係る長尺屋根板を示した斜視図である。図１において全体として参照符号１０で示される本発明の好ましい実施の形態に係る長尺屋根板は、所定の寸法を有する横長の金属板で作られている。
【０００８】
長尺屋根板１０には、その両側縁の付近に、換気通路構成部分１２が設けられている。換気通路構成部分１２は、図１に示されるように、外方かつ上方に傾斜した傾斜部分１２ａと、傾斜部分１２ａの先端から外方かつ水平に延びた水平部分１２ｂとを有する。ここで、「内方」とは、当該長尺屋根板１０の中央に向かう方向を意味し、「外方」とは、当該長尺屋根板１０の中央と反対側に向かう方向を意味する。
【０００９】
長尺屋根板１０は、一方の縁部が折り立てられている。折り立てられた部分１４は、その先端が横向き外方に折り曲げられて、ほぼ逆Ｌ字形の横断面を有する被接部１６を形成している。折り立てられた部分１４は、更に、その裾縁が延長され、下方に折り返されて引掛縁１８となっている。折り立てられた部分１４、被接部１６、及び引掛縁１８は協同して、上ハゼ部分２０を構成している。
【００１０】
また、長尺屋根板１０は、他方の縁部が折り立てられている。折り立てられた部分２２は、その先端が横向き内方に折り曲げられて、吊子上端載置部２４を形成している。吊子上端載置部２４は、その先端が所定高さＨだけ上方に延び、更に横向き内方に延びて、取付部２６を形成している。折り立てられた部分２２、吊子上端載置部２４、及び取付部２６は協同して、下ハゼ部分２８を構成している。なお、高さＨは、後述する吊子の板厚とほぼ等しくなるように選定されている。
【００１１】
次に、図２及び図３を参照して、以上のように構成された長尺屋根板１０を使用した屋根葺き方法について説明する。まず、金属板で形成された吊子３０を準備する。吊子３０は、上端に設けられた上端水平部３０ａと、下端に設けられた下端水平部３０ｂと、水平部３０ａと下端水平部３０ｂとの間に延びた垂直部３０ｃと、垂直部３０ｃの途中に設けられた段状折曲部３０ｄとを備えており、全体としてＬ字形の形状を有している。
【００１２】
次いで、屋根の垂木（図示せず）が位置する個所に吊子３０を配置し、吊子３０の下端水平部３０ｂを釘３２で垂木に固定する。次いで、長尺屋根板１０の下ハゼ部分２８の吊子上端載置部２４に吊子３０の上端水平部３０ａが載り（図３（ａ）参照）、かつ、長尺屋根板１０の上ハゼ部分２０が隣接する長尺屋根板１０の下ハゼ部分２８に被さる（図３（ｃ）参照）ように、長尺屋根板１０を屋根の上に配置する。その際、吊子３０の段状折曲部３０ｄで長尺屋根板１０の下ハゼ部分２８が支持される（図３（ａ）参照）。
【００１３】
次いで、吊子３０の上端水平部３０ａ及び長尺屋根板１０の下ハゼ部分２８の取付部２６に防水テープ３４を貼る（図３（ｂ）参照）。しかる後、ハゼ締機（図示せず）等を用いて、隣接する長尺屋根板１０の上ハゼ部分２０の引掛縁１８を長尺屋根板１０の下ハゼ部分２８の取付部２６に締め付け（図３（ｄ）参照）、次いで、図３（ｅ）に示されるように、上ハゼ部分２０全体を締め付ける。
【００１４】
なお、防水テープ３４としては通常、ブチルゴム系のテープが用いられる。ブチルゴム系のテープは、−５°Ｃ以下の低温になると接着力が低下するが、本発明の長尺屋根板１０では、防水テープ３４が段差のない面一な上端水平部３０ａ及び取付部２６に接着されるので、防水テープ３４が密着状態で接着されるとともに、防水テープ３４が破れるおそれもなく、良好な防水効果が得られる。
【００１５】
以上の作業を繰り返すことにより、屋根葺き作業を実施することができる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
たとえば、前記実施の形態では、長尺屋根板１０の換気通路構成部分１２が傾斜部分１２ａと水平部分１２ｂとを有しているが、図４に示されるように、傾斜部分１２ａのみを有するように長尺屋根板１０を形成してもよい。また、本発明を、換気通路構成部分を有しない一般的な長尺屋根板１０に適用してもよい。
【００１８】
【発明の効果】
本発明によれば、下ハゼ部分２８の取付部２６と吊子３０の上端水平部３０ａとの間に段差が生じないように、吊子上端載置部２４を設けたので、防水テープ３４の密着度が良くなるとともに、防水テープ３４が破れるおそれがなくなり、良好な防水効果が得られる。
【図面の簡単な説明】
【図１】本発明の好ましい実施の形態に係る長尺屋根板を示した斜視図である。
【図２】図１の長尺屋根板の取付け状態を示した概略側面図であって、（ａ）は、長尺屋根板の上ハゼ部分の引掛縁を締め付けた状態を示した図、（ｂ）は、長尺屋根板の上ハゼ部分全体を締め付けた状態を示した図である。
【図３】図１の長尺屋根板の一連の取付け手順を示した拡大図である。
【図４】本発明の別の好ましい実施の形態に係る長尺屋根板を示した斜視図である。
【図５】従来の長尺屋根板を示した図であって、（ａ）は概略側面図、（ｂ）は（ａ）の部分５ｂを示した拡大図、（ｃ）は上ハゼ部分全体を締め付けた状態を示した（ｂ）と同様の図である。
【符号の説明】
１０  長尺屋根板
１４  折り立てられた部分
１６  被接部
１８  引掛縁
２０  上ハゼ部分
２２  折り立てられた部分
２４  吊子上端載置部
２６  取付部
２８  下ハゼ部分
３０  吊子
３０ａ  上端水平部
３０ｂ  下端水平部
３０ｃ  垂直部
３０ｄ  段状折曲部
３４  防水テープ
【図１】
2004197421.tif 000003
【図２】
2004197421.tif 000004
【図３】
2004197421.tif 000005
【図４】
2004197421.tif 000006
【図５】
2004197421.tif 000007